(57)【要約】      （修正有）【課題】簡単に排出できる充填量の高いコンテナを提供する。【解決手段】古紙等の廃棄物３をコンテナ２の後部から積み込んで、荷役運搬車で廃棄処理場に搬送して積み込んだ廃棄物３を後部の排出扉５から排出するようにした廃材搬送用コンテナ２であって、上記コンテナ２の底面７前部のコーナー部８を断面が凹曲面状または断面が傾斜面状に形成するとともに、上面９の天井側を後端部から前端部に向かって背低くした２〜６度の傾斜面に形成し、さらに上記コンテナ２の両側面部をそれぞれ後端部から前端部に向かって幅狭とした１〜３度の傾斜面に形成して廃棄物３をスムーズに排出する。【選択図】図１
2010285187.tif 000002
【特許請求の範囲】
【請求項１】
古紙等の廃棄物コンテナの後部から積み込んで、荷役運搬車で廃棄処理場に搬送して積み込んだ廃棄物を後部の排出扉から排出するようにした廃材搬送用コンテナであって、
上記コンテナの底面前部のコーナー部を断面が凹曲面状または断面が傾斜面状に形成するとともに、上面の天井側を後端部から前端部に向かって背低くした２〜６度の傾斜面に形成し、
さらに上記コンテナの両側面部をそれぞれ後端部から前端部に向かって幅狭とした１〜３度の傾斜面に形成したことを特徴とする廃材搬送用コンテナ。
【請求項２】
コンテナの上部に廃棄物の充填状態を検出できる検出窓を設けた請求項１に記載の廃材搬送用コンテナ。
【請求項３】
コンテナの前部の上部に空気排出孔を設けた請求項１または２に記載の廃材搬送用コンテナ。
【請求項４】
コンテナの前面部に廃棄物を後方に押し出す廃棄物押出装置を配設した請求項１ないし３のいずれかに記載の廃材搬送用コンテナ。
【請求項５】
コンテナの上部にＬＥＤセンサーやＣＣＤセンサー、音波センサー等の廃棄物検出センサーを設けた請求項１ないし４のいずれかに記載の廃材搬送用コンテナ。
【発明の詳細な説明】
【技術分野】
【０００１】
本発明は、廃材処理分野における廃材搬送用コンテナに関するものである。
【背景技術】
【０００２】
従来、家庭ごみ、空き缶、新聞紙、雑誌などの廃棄物を廃却場に搬送するのに、パッカーコンテナやプレスコンテナ、押し込み装置付きコンテナが知られ、廃棄物を圧縮してコンテナに積み込んで荷役車等に搭載して搬送処理している。
【発明の概要】
【発明が解決しようとする課題】
【０００３】
しかし、パッカーコンテナやプレスコンテナでは、コンテナの後部に油圧パワーユニットによる圧縮装置を取り付けて廃棄物をコンテナに圧縮して押し込み、前部に排出装置を設けて充填した廃棄物を後方に押し出して排出するようにしている。
【０００４】
また、押し込み装置付きコンテナでは、前部の上側に投入口を設けて、投入口から投入された廃棄物を押し込み板を揺動装置で揺動してコンテナ内に押し込んで充填し、搬送して廃棄場で排出処理している。
【０００５】
このように従来のコンテナでは、圧縮装置や押し込み装置を装着しているため、コンテナに廃棄物を圧縮して充填できて廃棄処理できるものの、圧縮装置や押し込み装置があるため、それだけコンテナの充填量が減少するとともに、高価となる。
【０００６】
そのため、圧縮装置や押し込み装置でコンテナに廃棄物を圧縮して充填できて充填量を高められるものの、排出するときにストロークの長い押出装置を必要としなければならず、簡単に排出できる充填量の高いコンテナの開発が課題となっていた。
【課題を解決するための手段】
【０００７】
本発明は、上記のような点に鑑みたもので、上記の課題を解決するために、古紙等の廃棄物をコンテナの後部から積み込んで、荷役運搬車で廃棄処理場に搬送して積み込んだ廃棄物を後部の排出扉から排出するようにした廃材搬送用コンテナであって、上記コンテナの底面前部のコーナー部を断面が凹曲面状または断面が傾斜面状に形成するとともに、上面の天井側を後端部から前端部に向かって背低くした２〜６度の傾斜面に形成し、さらに上記コンテナの両側面部をそれぞれ後端部から前端部に向かって幅狭とした１〜３度の傾斜面に形成したことを特徴とする廃材搬送用コンテナを提供するにある。
【０００８】
また、コンテナの前部の上部に廃棄物の充填状態を検出できる検出窓を設けた廃材搬送用コンテナを提供するにある。
【０００９】
さらに、コンテナの上部に空気排出孔を設けた廃材搬送用コンテナを提供するにある。
【００１０】
さらにまた、コンテナの前面部に廃棄物を後方に押し出す廃棄物押出装置を配設した廃材搬送用コンテナを提供するにある。
【００１１】
さらにまた、コンテナの上部にＬＥＤセンサーやＣＣＤセンサー、音波センサー等の廃棄物検出センサーを設けた廃材搬送用コンテナを提供するにある。
【発明の効果】
【００１２】
本発明の廃材搬送用コンテナは、古紙等の廃棄物をコンテナの後部から積み込んで、荷役運搬車で廃棄処理場に搬送して積み込んだ廃棄物を後部の排出扉から排出するようにした廃材搬送用コンテナであって、上記コンテナの底面前部のコーナー部を断面が凹曲面状または断面が傾斜面状に形成したことによって、古紙等の廃棄物をコンテナの後部から積み込んでいくと、古紙等の廃棄物はコンテナの底面前部のコーナー部の断面が凹曲面状または断面が俯角の傾斜面にそって次々と上方へ押し上げられて積み込まれ、ついで後方側に向かって積み重ねて収容していって充填量を高く積載できる。
【００１３】
そして特に、コンテナの上面の天井側を後端部から前端部に向かって背低くした２〜６度の傾斜面に形成し、コンテナの両側面部をそれぞれ後端部から前端部に向かって幅狭とした１〜３度の傾斜面に形成していることによって、コンテナは上下、左右とも前端部から後端部に向かって断面が漸次拡がっているので、荷役運搬車で廃棄処理場に搬送して、コンテナを傾けて積み込んだ廃棄物を後部の排出扉から排出すると、少しの振動等によって積み込まれた廃棄物をスムーズに落下して容易に廃棄処理することができる。
【００１４】
また、コンテナの前部の上部に廃棄物の充填状態を検出できる検出窓を設けたことによって、コンテナの廃棄物の積み込み状態を検出窓を介して確認して積み込みできて、所要の充填状態の容積に搭載することができる。
【００１５】
さらに、コンテナの上部に空気排出孔を設けたことによって、上記のようにしてコンテナに積み込んでも、上部の空気排出孔から空気が流出していって空気の圧縮で容積率を減少されるのを防止できる。
【００１６】
さらにまた、コンテナの前面部に廃棄物を後方に押し出す廃棄物押出装置を配設することによって、廃棄物押出装置を作動して、上記のようにしてコンテナに充填して積み込んだ廃棄物を後部の排出扉から廃棄物をスムーズに落下して廃棄処理することができる。
特に、コンテナは、上下、左右とも前端部から後端部に向かって断面が漸次拡がっているので、廃棄物押出装置を少しのストロークを作動して、コンテナに充填して積み込んだ廃棄物を後部の排出扉からスムーズに落下して廃棄処理することができる。
【００１７】
さらにまた、コンテナの上部にＬＥＤセンサーやＣＣＤセンサー、音波センサー等の廃棄物検出センサーを設けることによって、上記のように古紙等の廃棄物をコンテナの後部から積み込んで、次々と上方へ押し上げられて積み込まれて後方側に向かって積み重ねていくと、コンテナの上部のＬＥＤセンサーやＣＣＤセンサー、音波センサー等の廃棄物検出センサーで検知できて、コンテナの廃棄物の積み込み状態を確認して積み込みできて、所要の充填状態の容積に搭載することができる。
【図面の簡単な説明】
【００１８】
【図１】本発明の一実施例の一部省略した側面図、
【図２】同上の平面図、
【図３】同上の縦断面図、
【図４】同上の他の実施例の側面図、
【図５】同上のさらに他の実施例の側面図、
【図６】同上のさらに他の実施例の一部省略した拡大側断面図。
【発明を実施するための形態】
【００１９】
本発明の廃材搬送用コンテナは、古紙等の廃棄物をコンテナの後部から積み込んで、荷役運搬車で廃棄処理場に搬送して積み込んだ廃棄物を後部の排出扉から排出するようにした廃材搬送用コンテナであって、上記コンテナの底面前部のコーナー部を断面が凹曲面状または断面が傾斜面状に形成するとともに、上面の天井側を後端部から前端部に向かって背低くした２〜６度の傾斜面に形成し、さらに上記コンテナの両側面部をそれぞれ後端部から前端部に向かって幅狭とした１〜３度の傾斜面に形成したことを特徴としている。
【００２０】
廃材搬送用コンテナ１は、図１〜図３のようにやや斜め状の箱状のコンテナ２としていて、古紙等の廃棄物３をコンテナ２の後部４から積み込んで、荷役運搬車で積み込んだ廃棄物３を後部４の排出扉５から排出するようにしている。そして、コンテナ２の底面６の前部７のコーナー部８を断面が凹曲面状または断面が仰角の傾斜面状に形成し、上面９の天井側を後端部から前端部に向かって背低くした２〜６度の傾斜面に形成し、さらに上記コンテナ２の両側面１０、１１をそれぞれ後端部から前端部に向かって左右対称状に幅狭とした１〜３度の傾斜面とした、やや斜め状の箱状としている。
【００２１】
そして、コンテナ２の後部４に排出扉５を上部にヒンジ１２を介して開閉可能に装着し、この排出扉５の下半部分に開閉ゲート１３を昇降自在に配設して、古紙等の廃棄物３を圧縮押込装置等で圧縮してコンテナ２に積み込んで、廃棄処理場に搬送して積み込んだ廃棄物３を排出扉５から排出するようにしている。
【００２２】
また、コンテナ２の前部７の上部に廃棄物３の充填状態を検出できる検出窓１４を設けて、コンテナ２への廃棄物３の積み込み状態を確認できるようにしているとともに、コンテナ２の前部７の上部に空気排出孔１５を設けて、コンテナ２に廃棄物３を充填状態に積み込んでも、空気排出孔１５から内部の空気を流出させるようにしている。
【００２３】
そのため、古紙等の廃棄物３を積み込み場で圧縮押込装置等で圧縮してコンテナ２にその後部４の開閉ゲート１３を開けて積み込んでいくと、図１のように圧縮された古紙等の廃棄物３はコンテナ２の底面６の前部７のコーナー部８の断面が凹曲面状または断面が仰角の傾斜面にそって次々と上方へ押し上げられて積み込まれ、ついで後方側に向かって積み重ねられて収容されていく。コンテナ２の底面６の前部７のコーナー部８は、断面が３０〜５０度の俯角の傾斜面状に形成しているので、積み込む廃棄物３を次々とコンテナ２の上方へ押し上げられて積み込めて後方側に向かって積み重ねられて収容することができる。
【００２４】
また、コンテナ２の前部７の上部の検出窓１４で廃棄物３の充填状態を検出して、コンテナ２への廃棄物３の積み込み状態を確認して積み込みできて、所要の充填状態の容積に搭載することができる。その際、コンテナ２の上部に空気排出孔１５から適宜に内部の空気が流出していって空気による圧縮で容積率を減少するのを防止できる。
【００２５】
そして、廃棄物３を充填して積み込んだコンテナ２を役運搬車で廃棄処理場に搬送して、コンテナ２を傾けて後部４の排出扉５を開けると、積み込んだ廃棄物３はコンテナ２が上下、左右とも前端部から後端部に向かって断面が漸次拡がっているので、少しの振動等によってスムーズに落下して容易に廃棄処理することができる。
【００２６】
また、コンテナ２の上面９の傾斜は後端部から前端部に向かって２〜６度位が好ましく、３〜４度位がより好ましく、さらにコンテナ２の両側面１０、１１の傾斜は、上下側の傾斜量に比してその各半分ずつと考えて、後端部から前端部に向かって各１〜３度位が好ましく、１．５〜２度位がより好ましく、これらの角度よりも少ないと所望の廃棄物３の円滑排出効果を奏しにくく、またこれらの角度よりも大きいとコンテナ２の廃棄物３の収容率を低下させて好ましくない。なお、廃棄物３の状態、その圧縮程度等に対応して、本願の趣旨にもとずいて当業者の技術判断によって多少の傾斜角度を変更することは可能である。
【００２７】
またさらに、上記コンテナ１の下部や上部、両側部のコーナー部を１００〜３００ｍｍＲの所定の曲率半径をもつ曲面形状に形成することが好ましく、曲面形状に形成することによって廃棄物３をコンテナ２にスムーズに積み込め、スムーズに排出処理できて好ましい。１６は側面補強部、１７は前面補強材、１８は移動用キャリヤ、１９は支持脚、２０は傾転用取手、２１は扉ストッパーである。
【００２８】
また、図４のようにコンテナ２の上部にＬＥＤセンサーやＣＣＤセンサー、音波センサー等の左右一対の投射部と受射部の廃棄物検出センサー２２を、コンテナ２の上部の前部、中部、後部に一定の間隔で配設し、上記のように古紙等の廃棄物３をコンテナ２の後部から積み込んで、前部の上方、中部の上方、後部の上方に積み込まれた廃棄物３の積み重ね状態を点灯やブザー等で報知するようにして、自動的に所要の充填状態の容積に搭載するようにできる。
【００２９】
そしてまた、図５のようにコンテナ２の前面部に油圧シリンダや電動シリンダ等の廃棄物押出装置２３を配設し、廃棄物押出装置２３を作動して３００ｍｍ〜１０００ｍｍほどコンテナ２内に突き出して、コンテナ２に充填して積み込んだ廃棄物３を後部の排出扉５から落下して廃棄処理するようにすることができる。コンテナ２は、上記したように上下、左右とも前端部から後端部に向かって断面が漸次拡がっているので、廃棄物押出装置２３を少しのストロークを作動してコンテナ２に充填して積み込んだ廃棄物３を後部の排出扉５からスムーズに落下して廃棄処理することができるもので、特に５０００ｍｍ以上、好ましくは８０００ｍｍ以上の長いコンテナ２の場合に有効である。
【００３０】
また、図６のようにコンテナ２の前面部のコーナー部８の背面に油圧シリンダや電動シリンダ等の廃棄物押出装置２３を内装状態に配設し、コーナー部８の傾斜面材２４の下部を蝶番２５等を介して底面６に取着して傾斜面材２４の上部側をコンテナ２内に起倒自在に設け、コンテナ２に充填して積み込んだ廃棄物３を後部の排出扉５から落下して廃棄処理するなど、適宜な実施態様を採択するようにもできる。２６、２７は、傾斜面材２４にリンク接続して傾斜面材２４に適宜に追従するようにした屈曲パネルである。
このようにすると、廃棄物押出装置２３をコンテナ２に内装状態にして配設できて、コンテナ２を体裁よく、コンテナ２の傾転にも邪魔にならずにコンテナ２に充填して積み込んだ廃棄物３の廃棄処理ができる。
【００３１】
なお、コンテナ２は、５〜１０ｍｍ厚さのスエーデン鋼（スエーデンスチール社のハルドックスやドメッックスの耐摩耗鋼、高張力鋼板）の鉄鋼板、またはその相当強度の軟鋼や中硬鋼の鋼板とすることが好ましく、またコンテナ２に適宜に補強材を取着して補強するのが好ましい。
【００３２】
上記では、圧縮押込装置を配設しない廃材搬送用コンテナ１について説明したが、圧縮押込装置を配設した廃材搬送用コンテナ１についても適用可能である。
【実施例】
【００３３】
図１〜図３は、本発明の一実施例を示すものである。廃材運搬用コンテナ１は、６ｍｍ厚さの高張力鋼板で製造している５トン用のもので、コンテナ２を３５００ｍｍ長さとし、図１のようにコンテナ２の水平面状とした底面６の前部側３００ｍｍのコーナー部８を断面が４５度の仰角の傾斜面に形成し、上面９を前部１６００ｍｍ高さ、後部１８００ｍｍ高さとした後端部から前端部に向かって背低くした５度の傾斜面に形成し、さらにコンテナ２の両側面１０、１１をそれぞれ後端部から前端部に向かって左右対称状に幅狭とした各２．５度の傾斜面の箱状に形成している。
【００３４】
そして、図１のようにコンテナ２の後部４に排出扉５を上部にヒンジ１２を介して開閉可能に装着し、この排出扉５の下半部分に開閉ゲート１３を昇降自在に配設し、古紙等の廃棄物３を圧縮押込装置等で圧縮してコンテナ２に積み込んで、廃棄処理場に搬送して積み込んだ廃棄物３を排出扉５から排出するようにしている。
【００３５】
また、コンテナ２の前部７の上部に廃棄物３の充填状態を検出できる検出窓１４を設けて、コンテナ２への廃棄物３の積み込み状態を確認できるようにしているとともに、コンテナ２の前部７の上部に空気排出孔１５を設けて、コンテナ２に廃棄物３を充填状態に積み込んでも、空気排出孔１５から内部の空気が流出するようにしている。
【００３６】
またさらに、コンテナ２の下部や上部、両側部のコーナー部を１００ｍｍＲの曲率半径をもつ曲面形状に形成し、廃棄物３をコンテナ２にスムーズに積み込め、スムーズに排出処理できるようにしている。
【００３７】
したがって、古紙等の廃棄物３を積み込み場で圧縮押込装置等で圧縮してコンテナ２の排出扉５の下半部分の開閉ゲート１３を上昇して古紙等の廃棄物３をコンテナ２に積み込んでいくと、圧縮された古紙等の廃棄物３はコンテナ２の底面６の前部７のコーナー部８の断面が４５度の仰角の傾斜面にそって次々と上方へ押し上げられて積み込まれ、ついで後方側に向かって積み重ねられて収容できる。
【００３８】
また、コンテナ２の前部７の上部の検出窓１４で廃棄物３の充填状態を検出できて、コンテナ２への廃棄物３の積み込み状態を確認して積み込みできて、所要の充填状態の容積に搭載することができる。その際、コンテナ２の上部に空気排出孔１５から適宜に空気が流出していって空気の圧縮で容積率を減少するのを防止できる。
【００３９】
そして、廃棄物３を充填して積み込んだコンテナ２を役運搬車で廃棄処理場に搬送して、コンテナ２を傾けて後部４の排出扉５を開けると、積み込んだ廃棄物３はコンテナ２が上下、左右とも前端部から後端部に向かって断面が漸次拡がっているので、少しの振動等によってスムーズに落下して容易に廃棄処理することができるものである。
【００４０】
図４は、本発明の他の実施例を示すもので、図のようにコンテナ２の上部にＬＥＤセンサーの左右一対の光投射部と光受射部の廃棄物検出センサー２２を上部の前部、中部、後部に一定の間隔で配設し、上記のように古紙等の廃棄物３をコンテナ２の後部から積み込んで、前部の上方、中部の上方、後部の上方に積み込まれた廃棄物３の積み重ね状態を点灯して報知して、所要の充填状態の容積に搭載するようにできる。
【００４１】
図５は、本発明のさらに他の実施例を示すもので、コンテナ２の前面部に３００ｍｍストロークの油圧シリンダの廃棄物押出装置２３を配設し、廃棄物押出装置２３を作動して３００ｍｍほどコンテナ２内に突き出して、コンテナ２に充填して積み込んだ廃棄物３を後部の排出扉５から落下して廃棄処理できるようにしている。
コンテナ２は、上記したように上下、左右とも前端部から後端部に向かって断面が漸次拡がっているので、廃棄物押出装置２３を少しのストロークを作動してコンテナ２に充填して積み込んだ廃棄物３を後部の排出扉５からスムーズに落下して廃棄処理することができるもので、特に８０００ｍｍ以上の長いコンテナ２の場合に有効である。
【００４２】
図６は、本発明のさらに他の実施例を示すもので、コンテナ２の前面部のコーナー部８の背面に油圧シリンダや電動シリンダ等の廃棄物押出装置２３を内装して配設し、コーナー部８の傾斜面材２４の下部を蝶番２５を介して底面６に取着し、傾斜面材２４の上部側をコンテナ２内に起倒自在に設けて傾斜面材２４の上部側をコンテナ２内に旋回して突き出すようにするとともに、その上部に屈曲パネル２６、２７をリンク接続し、廃棄物押出装置２３を作動してコンテナ２に充填して積み込んだ廃棄物３を後部の排出扉５から落下して廃棄処理するようにしたものである。廃棄物押出装置２３は、図のようにコンテナ２に内装状態に配設できて、コンテナ２を体裁よく、またコンテナ２の傾転にも邪魔にならずに廃棄物３の廃棄処理ができて好ましい。
【００４３】
以上いろいろな実施例について説明したが、２トン用、４トン用、１０トン用等のコンテナについてもそれぞれ適用可能であり、本発明の趣旨にもとづいて適宜に変形態様を実施することができる。
【産業上の利用可能性】
【００４４】
本発明は廃材搬送用コンテナは、家庭ごみ、新聞紙、雑誌、特に古紙等の圧縮可能な廃棄物を圧縮して積み込んで荷役車等に搭載して搬送して、廃材処理するのに有効に利用することができる。
【符号の説明】
【００４５】
１…廃材搬送用コンテナ    ２…コンテナ      ３…廃棄物        ４…後部
５…排出扉                ７…前部          ８…コーナー部    ９…上面
１０、１１…側面          １３…開閉ゲート  １４…検出窓      １５…空気排出孔  ２２…廃棄物検出センサー  ２３…廃棄物押出装置
【先行技術文献】
【特許文献】
【００４６】
【特許文献１】特開２００４−２６９２６３
【特許文献２】特開２００１−１５１３０３
【特許文献３】特開平８−１９２９０２
【図１】
2010285187.tif 000003
【図２】
2010285187.tif 000004
【図３】
2010285187.tif 000005
【図４】
2010285187.tif 000006
【図５】
2010285187.tif 000007
【図６】
2010285187.tif 000008